(57)【要約】【課題】対面式キッチンユニットに設けられる機能水栓を、キッチン側からもリビング側からも容易に使用できるようにする。【解決手段】対面式キッチンユニットＵの上面部をリビング側に臨むカウンター部１とキッチン側に臨むワーク部２とから構成し、カウンター部１の上面に浄水器などの水質改善装置１３に接続される機能水栓１０の吐出部１１を設け、この吐出部１１をキッチン側とリビング側との間を回動可能に構成する。カウンター部１に水受け部１２を凹設する。水質改善装置１３、給水管１４、排水管１５を全てカウンター部１の下方空間Ｓ内へ集中させて収納する。機能水栓をキッチン側からでもリビング側からでも使用可能となる。配管が簡単になると同時にワーク部の下方空間を物品の収納部として最大限に有効活用できる。【選択図】      図２
2004176264.tif 000002
【特許請求の範囲】
【請求項１】
調理等を行う作業領域と食事等を行う非作業領域との間に設置される対面式キッチンユニットのカウンター部に、浄水器やアルカリイオン整水器などの水質改善装置に接続される機能水栓の吐出部が設けられ、当該吐出部は前記作業領域に臨む向きと非作業領域に臨む向きとの間を回動可能に構成されていることを特徴とする機能水栓の取付構造。
【請求項２】
前記対面式キッチンユニットの上面部は、シンクを有し作業領域に臨むワーク部と、非作業領域に臨むカウンター部とから成り、当該カウンター部の下方空間に、機能水栓に接続される配管及び水質改善装置を収納した請求項１に記載する機能水栓の取付構造。
【請求項３】
前記対面式キッチンユニットのカウンター部に、機能水栓の吐出部から吐出される水の水受け部を設けた請求項１又は２に記載する機能水栓の取付構造。
【請求項４】
前記機能水栓は、前記作業領域及び非作業領域の両側から吐水・止水操作を可能に構成した請求項１乃至３のいずれかに記載する機能水栓の取付構造。
【発明の詳細な説明】
【０００１】
【発明の属する技術分野】
本発明は、浄水器やアルカリイオン整水器等と接続される水栓を、対面式キッチンユニットに取り付ける場合の構造に関する。
【０００２】
【従来の技術】
キッチン等の作業領域とリビング等の非作業領域との間にある仕切り壁に広く開口を設けるか、又は仕切り壁を取り払い、キッチンとリビングとの間で、料理や食器の受け渡しなどの各種やりとりを直接的に行えるように構成した対面式キッチンユニットが、最近利用されつつある。この場合、キッチンとリビングとの仕切り位置に配置される対面式キッチンユニットとしては、図６に示すような、吐水栓４を取り付けたシンク３や、ガスコンロ５等の加熱調理器具などを有するフロアキャビネットＶが用いられる。
【０００３】
ところで対面式キッチンユニット（フロアキャビネット）Ｖに、浄水器と、この浄水器から供給される浄水の吐出栓２０を設けることが有る。この場合、図６に示す如く、浄水吐出栓２０は、吐出部２１がシンク３上方に開口するよう取り付けるのが一般的である。
【０００４】
あるいは特許文献１に記載されるように、対面式キッチンユニット（キッチンカウンター）におけるキッチン側とリビング（ダイニング）側の両方に、浄水器の吐出栓を設けることも提案されている。
【０００５】
【特許文献１】
特開２００２−１７４７２号公報
【０００６】
【発明が解決しようとする課題】
図６に示す対面式キッチンユニットＶにあっては、次のような問題が有った。浄水吐出栓２０がキッチン側のワーク部２に取り付けられているから、リビング側の人が浄水を飲もうとすると、キッチン側に居る人から渡してもらうか又はキッチン側へ回り込まなくてはならない。また浄水吐出栓２０が、キッチン側ワーク部２におけるシンク３の近傍に位置しているため、作業領域を狭めるだけでなく、作業上の障害物になる可能性がある。さらに、リビングに臨む部分に図示するようなカウンター部１を設け、このカウンター部１の下方空間に配管を集中させる構成を採用した場合、浄水吐出栓２０用の配管を、カウンター部１の下方からキッチン側ワーク部２の下面まで引く必要が生じるので、配管作業の手間が増えると同時に、配管の集中度が減じられるという問題が起こる。
【０００７】
他方、特許文献１に記載の対面式キッチンユニットにあっては、キッチン側，リビング側の双方に浄水吐出栓を設けているから、それだけ製品コストが高くなると共に、配管の作業工数も増えるという問題を有してしている。
【０００８】
【課題を解決するための手段】
本発明は、前記従来の問題に鑑み、浄水吐出栓等の機能水栓を対面式キッチンユニットに取り付ける構造を提供するものであって、その特徴とするところは、調理等を行う作業領域と食事等を行う非作業領域との間に設置される対面式キッチンユニットのカウンター部に、浄水器やアルカリイオン整水器などの水質改善装置に接続される機能水栓の吐出部を設け、当該吐出部を前記作業領域に臨む向きと非作業領域に臨む向きとの間を回動可能に構成したことである。かかる取付構造により、一個の機能水栓を、キッチン等の作業領域側と、リビングとの非作業領域側の両方から直接使用することができるようになる。
【０００９】
なお本発明における機能水栓とは、浄水器やアルカリイオン整水器などの水質改善装置に接続され、水質を改善又は変化させた水を吐出するようになされた水栓を指し、温水器や湯沸器などの加熱装置とも連絡するように配管構成される場合もある。
【００１０】
また本発明において、対面式キッチンユニットの上面部を、シンクを有し作業領域に臨むワーク部と、非作業領域に臨むカウンター部とから成るものとし、該カウンター部の下方空間を、機能水栓に接続される配管及び水質改善装置の収納スペースとして利用することが考えられる。かかる構成を採用すれば、カウンター部の上に機能水栓の吐出部を設けるので、配管作業が容易になる。またワーク部の下方空間から配管をなくせるので、物品収容力が向上する。
【００１１】
なお前記構成において、対面式キッチンユニットのカウンター部に、機能水栓の吐出部から吐出される水の水受け部を設けてもよい。さらには、前記機能水栓を、前記作業領域及び非作業領域の両側から吐水・止水操作を可能に構成してもよい。かかる構成により、リビング等の非作業領域側からの機能水栓の使用性が向上する。
【００１２】
【発明の実施の形態】
［第１の実施形態］
図１及び図２に、本発明を適用した対面式キッチンユニットＵの一例を示す。この対面式キッチンユニットＵは、調理等を行う作業領域（キッチン側）と、食事等を行う非作業領域（リビング側）との間に設置されるフロアキャビネットであって、その上面部が、リビング側に臨むカウンター部１と、吐水栓４を有するシンク３やガスコンロ５等の加熱調理器が設けられたキッチン側に臨むワーク部２とから構成されている。本例では、カウンター部１が、ワーク部２よりも一段高く設定されている。
【００１３】
本発明は、カウンター部１の上面に、浄水器やアルカリイオン整水器などの水質改善装置１３に接続される機能水栓１０の吐出部１１を設けると共に、該吐出部１１を、キッチン側とリビング側との間を回動可能に構成したところを特色としている。また本例では、カウンター部１に水受け部１２を凹設して、リビング側から機能水栓１０使用するときに、吐出部１１から吐出される水がカウンター部１の表面にこぼれて拡がるのを防止している。
【００１４】
更に本例は、上記水質改善装置１３や、これに水を供給するための給水管１４や、水受け部１２から水を排出するための排水管１５を全て、カウンター部１の下方空間Ｓ内へ集中させて収納する構成としてあるから、ワーク部２の下方空間Ｔから配管を無くすことが可能である。それ故、ワーク部２の下方空間Ｔを広く物品収納部として利用することが可能となり、例えば図２に例示するような引き出し１６，１６を設けることができるようになる。
【００１５】
［第２の実施形態］
図３に示すように、本発明は、カウンター部１とワーク部２の高さ位置がほぼ等しいような対面式キッチンユニットＵに適用することも妨げない。
【００１６】
［第３の実施形態］
本発明は、機能水栓１０を、対面式キッチンユニットのキッチン側からもリビング側からも容易に使用できるようにした点を特色とするものであるが、そのために、水栓の操作部をキッチン側からもリビング側からも容易に操作できるようにすることが望ましい。そこで、例えば図４の（Ａ）に示す如く、機能水栓１０における操作ハンドル１０ｂが設けられた基部１０ａを、吐出部１１と一体的に回動するように構成することが考えられる。
【００１７】
或いは図４（Ｂ）の如く、機能水栓１０の基部１０ａにおけるキッチン（作業領域）側及びリビング（非作業領域）側の両面に、操作ボタン１０ｃを取り付けてもよい。
【００１８】
［第４の実施形態］
図５は、機能水栓１０における吐出部１１の回動位置を規制する手段の一例を示すものである。本例は、機能水栓１０の基部１０ａ内に、バネ３０で押し出し方向へ付勢されたボール部材３１を配設し、吐出部１１の側面にボール３１と合致する凹部３２とを設けたものである。かかる構成によれば、ボール３１が凹部３２に嵌合する位置で、吐出部１１の回動を一旦停止させることができ、依って吐出部１１の位置決め機能を発揮する。
【００１９】
【発明の効果】
本発明によれば、対面式キッチンユニットに設けた機能水栓を、キッチン等の作業領域からでもリビング等の非作業領域からでも使用することが可能となるから、対面式キッチンの使い勝手が向上する。また、カウンター部の下方空間に、機能水栓に接続される水質改善装置や給排水管を集中させて収納する構成を採用すれば、配管作業が簡単になると同時に、ワーク部の下方空間を物品の収納部として最大限に有効活用できる。
【００２０】
さらに、対面式キッチンユニットのカウンター部に、機能水栓の吐出部から吐出される水の水受け部を設けたり、機能水栓を作業領域及び非作業領域の両側から吐水・止水操作を可能に構成することにより、機能水栓の使用性が一層向上する。
【図面の簡単な説明】
【図１】本発明の第１の実施形態に関するものであって、本発明を適用した対面式キッチンユニットの斜視図である。
【図２】本発明の第１の実施形態に関するものであって、本発明を適用した対面式キッチンユニットの側面断面図である。
【図３】本発明の第２の実施形態に関するものであって、本発明を適用した対面式キッチンユニットの側面断面図である。
【図４】本発明の第３の実施形態に関するものであって、図（Ａ）（Ｂ）は共に本発明に係る機能水栓の吐出部を示す側面図である。
【図５】本発明の第４の実施形態に関するものであって、図（Ａ）は本発明に係る機能水栓の吐出部を一部切り欠いて示す側面図、図（Ｂ）は図（Ａ）のＸ−Ｘ線における拡大した平面断面図である。
【図６】従来の対面式キッチンユニットを示す斜視図である。
【符号の説明】
Ｕ…対面式キッチンユニット  １…カウンター部  ２…ワーク部  ３…シンク
４…吐水栓  ５…ガスコンロ  １０…機能水栓  １０ａ…基部  １１…吐出部
１２…水受け部  １３…水質改善装置  １４…給水管  １５…排水管  Ｓ，Ｔ…下部空間
【図１】
2004176264.tif 000003
【図２】
2004176264.tif 000004
【図３】
2004176264.tif 000005
【図４】
2004176264.tif 000006
【図５】
2004176264.tif 000007
【図６】
2004176264.tif 000008